(57)【特許請求の範囲】
【請求項１】
マルチパスを分離し、パスダイバーシチ受信を行う符合分割多元接続（ＣＤＭＡ）移動通信方式の通信開始要求あるいはパケット送信を行うランダムアクセスチャネルにおける基地局から送信される報知信号を利用して、オープンループパワーコントロールにより送信電力を制御するランダムアクセス手段を有する移動通信装置において、
移動通信装置は、少なくとも伝播損失計算部と、パス特性検出部と、最適制御値格納部と、電力変化幅選択部と、送信電力制御部とを具備し、
前記伝播損失計算部は、基地局から報知された前記報知信号の電力値と移動通信装置にて受信される前記報知信号の平均受信電力値との差（平均伝播損失）を求める平均伝播損失計算部とを具備し、
前記最適制御値格納部は、伝播プロファイルで示されるパス特性と、そのパス特性に応じた初期送信電力補正値と、送信電力増幅ステップ幅とを格納したテーブルを具備し、
前記パス特性検出部は、受信波のパス特性を検出するパス特性検出部を具備し、前記電力変化幅選択部は、前記最適制御値格納部に格納されている前記テーブルのパス特性と、前記パス特性検出部で検出されたパス特性とを参照し、最適なパス特性に対応する初期送信電力補正値と送信電力増幅ステップ幅とを前記テーブルから選択する電力変化幅選択部を具備し、
前記送信電力制御部は、前記電力変化幅選択部により選択された前記初期送信電力補正値と、送信電力増幅ステップ幅と、前記平均伝播損失と、基地局からの報知信号にて報知された、あるいは、予め定められた基地局受信閾値とから送信電力を決定して送信電力を適応制御するランダムアクセス手段を有することを特徴とする移動通信装置。
【請求項２】
前記最適制御値格納部は、前記報知信号及び該報知信号の遅延波を含むパス総数と、前記パスの傾きとからなるパス特性と、そのパス特性に応じた初期送信電力補正値と、送信電力増幅ステップ幅とを格納したテーブルを具備し、パス特性検出部は、前記報知信号及び該報知信号の遅延波を含むパス総数と、前記パスの傾きとを求めるパス特性検出部を具備することを特徴とする請求項１に記載の移動通信装置。
【請求項３】
前記初期送信電力補正値と送信電力増幅ステップ幅とは、前記パス総数と、パスの傾きを固定したときに、移動通信装置がアクセスを成功するまでの遅延時間が最も短くなるか、または、移動通信装置の平均送信電力が最も少なくなるかの何れか一方、又は両方を満足するように決定することを特徴とする請求項１又は２に記載の移動通信装置。
【発明の詳細な説明】
【０００１】
【発明の属する技術分野】
本発明は、Ｗ−ＣＤＭＡ方式の移動通信において、送信側である移動通信装置（以下移動局と称する）と受信側である基地局との間で使用するランダムアクセスチャネルに対して、基地局から送信される報知信号を利用して、オープンループパワーコントロールにより移動局のランダムアクセスチャネルの送信電力を制御する移動通信装置に関するものである。
【０００２】
【従来の技術】
周知の移動通信規格Ｗ−ＣＤＭＡ方式は送信電力を最小限に保持することにより、システム容量（ユーザ数）が増加する。係るＷ−ＣＤＭＡ方式におけるチャネル構成は大きく２つに大別され、共通制御チャネルと個別通信チャネルからなる。個別通信チャネルはフィードバックループ制御により基地局と個別の移動局との間で緻密な送信電力制御が可能であり、これにより送信電力は必要最小限に抑えることができる。
【０００３】
一方、共通制御チャネルの一つであるランダムアクセスチャネルは、同一基地局内に存在する全移動局が共有するチャネルである。このために、個々の移動局に対して個別の送信電力制御を行うことはできない。従って、基地局から送信される報知信号を利用した、以下のようなオープンループパワーコントロール制御によりランダムアクセスチャネルの送信電力制御を行っている。
【０００４】
図６は前記ランダムアクセスチャネルの送信電力制御を説明する、移動局の受信電力と送信電力を示す図である。図６において、横軸は時間、縦軸は電力を示す。図６に示すように、周知の移動通信規格Ｗ−ＣＤＭＡ方式では、基地局から報知信号６０としてランダムアクセスチャネルの送信電力Ｐ０が一定時間間隔で移動局に対して報知されている。係る報知信号６０は、都市構造、自然環境などによって複数個の経路（パス）を経由して移動局に受信される。従って、前記報知信号６０は、移動局において瞬時受信電力６２のように変動して観測される。係る瞬時受信電力６２の平均値６１と前記報知信号の中に含まれる送信電力値Ｐ０の送信電力情報とから、移動局において基地局から移動局までの電力減衰量（伝播損失）ＰＬ（ＰＬ＝Ｐ０−Ｅ）を算出する。これを一定時間継続して算出することにより、平均受信電力減衰量ＰＬＭを得る。
【０００５】
前記移動局がランダムアクセスチャネルでアクセスを行う際は、基地局側で受信成否を判定する基地局受信閾値ＴＨに前記平均受信電力減衰量ＰＬＭを加えた送信電力ＴＭ（ＴＭ＝ＴＨ＋ＰＬＭ）で送信する。
【０００６】
図７は前記移動局が送信した前記送信電力ＴＭが基地局で受信される状態を説明する図である。送信側の移動局は、移動局で受信した前記平均受信電力減衰量ＰＬＭと、基地局からの報知信号にて報知された、あるいは、予め定められた基地局受信閾値とを用いて信号を送信するので、受信側となる基地局の実際の受信電力（瞬時電力）は分からない。このため基地局の共通制御信号の受信電力は、図７に示すように基地局受信閾値ＴＨ７０より小さすぎたり、大きすぎたりする場合がある。
【０００７】
例えば、図７の▲１▼及び▲３▼では基地局受信閾値ＴＨ７０より大きすぎ、▲２▼及び▲４▼では基地局受信閾値ＴＨ７０より小さすぎる。
【０００８】
図８は前記の問題点を解決する従来のオープンループパワーコントロール制御により送信電力制御の方法を説明するフローチャートである。図８において、移動局は、処理８０において、予め固定的に定めた初期送信電力補正値ΔＬ（負の値）と、送信電力増幅ステップ幅ΔＳ（正の値）と、基地局受信閾値ＴＨとを所定の方法で取得すると共に、送信電力の変化の繰り返し回数ｎを０にセットする。処理８１において、前記したようにして平均伝播損失ＰＬＭを求める。更に処理８２において、前記平均伝播損失ＰＬＭと基地局受信閾値ＴＨとを加算した送信電力ＴＭを求める。
【０００９】
処理８３において、前記のようにして求めた送信電力ＴＭに初期送信電力補正値ΔＬと送信電力増幅ステップ幅ΔＳとを加算する。ここで最初はｎ＝０なのでΔＬのみの加算になり、初期送信電力が決まる。処理８４において、基地局では、受信した信号の受信電力から信号の受信の成否を判定する。その結果、基地局受信閾値ＴＨ未満の受信電力の場合には受信不可となり、何ら情報を送信しない（以下受信不可情報とみなす）、一方、基地局受信閾値ＴＨ以上の受信電力の場合には受信可能となり、情報を移動局に対して送信する。
【００１０】
移動局は、基地局から受信不可の情報を得ると、処理８５において繰り返し回数ｎを１だけ増加する。処理８６において、移動局が送信可能な最大電力かをチェックし、最大電力の場合には処理を終了する。電力を増加できる場合には処理処理８３に戻る。処理８３と処理８４と処理８５とを繰り返し、前回の送信電力に対して、ΔＳだけ送信電力を増加させて再度送信し基地局受信閾値ＴＨ以上の受信電力になると処理を終了する。
【００１１】
図９は、前記の処理を説明したタイムチャートの一例である。図９において、移動局の送信電力制御はプリアンブル部と称する時間で行われ、前記したように基地局受信閾値ＴＨ以上の受信電力になるとプリアンブル部に続いてランダムアクセスチャネルのメッセージ送信が１０ｍｓの間行われる。
【００１２】
前記したΔＬが負の場合には、最初の送信電力は処理８２で求めた送信電力ＴＭよりΔＬだけ低い値で送信される。そして０．３ｍｓ後に次の送信電力がΔＳだけ加算されて送信される。ΔＳの増加を繰り返して基地局の受信電力が基地局受信閾値ＴＨ以上の受信電力になると処理を終了してランダムアクセスチャネルのメッセージ送信に移る。
【００１３】
図１０は、パス数の変化によって基地局受信の収斂状態が変化する様子を説明する図であって、横軸は時間を縦軸は基地局受信電力を表している。基地局受信閾値ＴＨ７０と、基地局受信電力の瞬時値７１と、基地局の受信電力７２とを示してある。図１０（ａ）は、パス数が少ない場合、図１０（ｂ）は、パス数が中くらいの場合、図１０（ｃ）は、パス数が多い場合の図である。図１０（ａ）においては、パス数が少ない場合には移動局の電力の送信回数が多くプリアンブルの送信に時間がかかり、また、図１０（ｃ）においては、移動局のプリアンブルの送信回数は少ないが、受信電力７２が基地局受信閾値ＴＨ７０の値から大きく外れることがある。
【００１４】
【発明が解決しようとする課題】
しかし、前記の方法では、以下の問題点があった。即ち、一般に移動体通信においてパス特性は都市構造に応じて異なり、遅延波を含む受信波をマルチパスに分離するレイク受信におけるレイク合成後の受信電力の瞬時変動特性は大きく変わる。これは、Ｗ−ＣＤＭＡ方式では、レイク受信により遅延波を分離し各パスの電力を加算することが可能であり、受信パス数が多いと受信電力の激しい変動が抑えられ、受信パス数が少ないと受信電力は激く変動するためである。
【００１５】
前記したように、従来のランダムアクセスチャネルにおける送信電力制御は、パス特性を考慮せず、予め固定的に定めた初期送信電力補正値ΔＬ（負の値）と、送信電力増幅ステップ幅ΔＳ（正の値）とを用いて一律に送信していた。このために図１０（ａ）に示したように、プリアンブルの送信回数が多くなり通信に時間がかかる場合や、図１０（ｃ）に示したように、必要以上の送信電力となり送信電力の高い移動局によって低い送信電力の移動局が隠される場合があるなどの問題点を有していた。
【００１６】
本発明は、ランダムアクセスチャネルにおける移動局送信電力及び、アクセス成功までの遅延時間を低減し得る機能を有する移動通信装置を提供することを目的としてなされたものである。
【００１７】
【課題を解決するための手段】
本発明は上記目的を達成するために請求項１記載のランダムアクセス方式移動通信装置は、マルチパスを分離し、パスダイバーシチ受信を行う符合分割多元接続（ＣＤＭＡ）移動通信方式の通信開始要求あるいはパケット送信を行うランダムアクセスチャネルにおける基地局から送信される報知信号を利用して、オープンループパワーコントロールにより送信電力を制御するランダムアクセス手段を有する移動通信装置において、
移動通信装置は、少なくとも伝播損失計算部と、パス特性検出部と、最適制御値格納部と、電力変化幅選択部と、送信電力制御部とを具備し、
前記伝播損失計算部は、基地局から報知された前記報知信号の電力値と移動通信装置にて受信される前記報知信号の平均受信電力値との差（平均伝播損失）を求める平均伝播損失計算部とを具備し、
前記最適制御値格納部は、伝播プロファイルで示されるパス特性と、そのパス特性に応じた初期送信電力補正値と、送信電力増幅ステップ幅とを格納したテーブルを具備し、
前記パス特性検出部は、受信波のパス特性を検出するパス特性検出部を具備し、前記電力変化幅選択部は、前記最適制御値格納部に格納されている前記テーブルのパス特性と、前記パス特性検出部で検出されたパス特性とを参照し、最適なパス特性に対応する初期送信電力補正値と送信電力増幅ステップ幅とを前記テーブルから選択する電力変化幅選択部を具備し、
前記送信電力制御部は、前記電力変化幅選択部により選択された前記初期送信電力補正値と、送信電力増幅ステップ幅と、前記平均伝播損失と、基地局からの報知信号にて報知された、あるいは、予め定められた基地局受信閾値とから送信電力を決定して送信電力を適応制御するランダムアクセス手段を有することを特徴とする。
【００１８】
請求項２記載のランダムアクセス方式移動通信装置では、前記最適制御値格納部は、前記報知信号及び該報知信号の遅延波を含むパス総数と、前記パスの傾きとからなるパス特性と、そのパス特性に応じた初期送信電力補正値と、送信電力増幅ステップ幅とを格納したテーブルを具備し、パス特性検出部は、前記報知信号及び該報知信号の遅延波を含むパス総数と、前記パスの傾きとを求めるパス特性検出部を具備することを特徴とする。
【００１９】
請求項３記載のランダムアクセス方式移動通信装置では、前記初期送信電力補正値と送信電力増幅ステップ幅とは、前記パス総数と、パスの傾きを固定したときに、移動通信装置がアクセスを成功するまでの遅延時間が最も短くなるか、または、移動通信装置の平均送信電力が最も少なくなるかの何れか一方、又は両方を満足するように決定することを特徴とする。
【００２０】
【発明の実施の形態】
以下本発明の実施の形態について図面により説明する。図１は、本発明の実施の形態を示すブロック図である。図１において、移動局２には、アンテナ２ａと、報知信号受信機３と、伝播損失計算部４と、パス特性検出部５と、電力変化幅選択部６と、送信電力制御部９と、該送信電力制御部９からの信号を基地局１に送信するランダムアクセスチャンネル送信機８と、最適制御値格納部７と、制御情報格納部１０とが具備されている。
【００２１】
前記電力変化幅選択部６には最適制御値格納部７が、また、送信電力制御部９には制御情報格納部１０が各々接続されている。前記制御情報格納部１０には、後述する、基地局受信閾値が予め格納されている。また、基地局からの報知信号にて報知された前記基地局受信閾値が報知信号受信機３から前記制御情報格納部１０に格納される。係る、前記基地局受信閾値は、後述するように、送信電力制御部９により読み出されて送信電力が制御される。
【００２２】
アンテナ２ａは報知信号受信機３の図示していない入力端子に接続され、前記報知信号受信機３の出力は、伝播損失計算部４の入力端子とパス特性検出部５の入力端子とに各々接続されている。また、パス特性検出部５の出力は、電力変化幅選択部６に接続されている。
【００２３】
送信電力制御部９の入力端子には、電力変化幅選択部６の出力端子と伝播損失計算部４の出力端子とが各々接続されていて、前記送信電力制御部９の出力はランダムアクセスチャンネル送信機８の入力端子に接続されていて、その出力はアンテナ２ａに接続されている。
【００２４】
基地局１には、アンテナ１ａと、移動局２からのランダムアクセスチャンネル信号を受信するンダムアクセスチャンネル受信機１ｂが具備されている。なお、基地局１における移動通信に必要な、その他の手段は周知の移動通信規格Ｗ−ＣＤＭＡ方式で用いている方法で実現できるので図示していない。又、移動局２は、所定のプログラムが格納された図示していない処理装置により、各部の制御がなされる。
【００２５】
図２は、本発明の実施の形態における、移動局の動作を説明するフローチャートである。移動局２の動作について以下図１と図２とを用いて説明する。
【００２６】
基地局１から送信された報知信号は、処理２０においてアンテナ２ａを介して報知信号受信機３で受信される。報知信号受信機３で受信した報知信号は、伝播損失計算部４とパス特性検出部５とにより以下のように処理される。
【００２７】
基地局から報知された前記報知信号には、基地局から送信した電力値Ｐ又は、電力値Ｐと基地局受信閾値ＴＨとが情報として含まれている。処理２１において、伝播損失計算部４は、前記報知信号受信機３で受信した報知信号の平均受信電力値Ｅを求める。また、前記報知信号に含まれる電力値Ｐを周知の移動通信規格Ｗ−ＣＤＭＡ方式で用いている方法で抽出し、図示していない平均伝播損失計算部によって前記電力値Ｐと、前記平均受信電力値Ｅとの差、即ち、基地局と移動局との間の電力減衰量（Ｐ−Ｅ）を求める。求められた電力減衰量（Ｐ−Ｅ）を一定時間継続して求め、時間平均して平均伝播損失ＰＬＭを求める。
【００２８】
パス特性検出部５は、処理２２、処理２３、処理２６、処理２７の処理を行う。処理２２において報知信号は、図示していない周知の移動通信規格Ｗ−ＣＤＭＡ方式で用いている相関器を用いて逆拡散処理され、伝播路のインパルス特性であるパス特性が検出される。
【００２９】
処理２３において、前記分離されたパスからパス総数Ｍを得る。
【００３０】
処理２６において、処理２２で分離されたパスに対して基地局の同一アンテナから送信されたパスを平均受信電力の降順に並べ替える。
【００３１】
更に処理２７において、処理２６で求めたパスのデータを周知の方法、例えば最小二乗法などによりパスの傾きΔＫを求める。
【００３２】
処理２９０において、電力変化幅選択部６は、最適制御値格納部７に格納されている後述する最適制御値テーブルを参照して初期送信電力補正値ΔＬと、送信電力増幅ステップ幅ΔＳとを出力する。
【００３３】
処理２９１において、送信電力制御部９は、電力変化幅選択部６で選択された初期送信電力補正値ΔＬと、送信電力増幅ステップ幅ΔＳと、処理２１で求めた平均伝播損失ＰＬＭと、送信電力制御部９により制御情報格納部１０から読み出された、基地局からの報知信号にて報知された、あるいは、予め定められた基地局受信閾値とを用いて、図８に示したオープンループパワーコントロールにより送信電力を制御する。
【００３４】
図３は、後述する最適制御値テーブルを理解するためにパス特性をモデル化したパスモデルの一例の説明図であって、各パスにおける平均受信電力値Ｅを縦軸にとって表してある。図３（ａ）はアンテナとパスとが一つの場合、図３（ｂ）はアンテナが１つでパスの傾きΔＫが−３の場合、図３（ｃ）はアンテナが１つでパスの傾きΔＫが−７の場合である。
【００３５】
前記、最適制御値テーブルの入力パラメータと出力の値とは、基地局と、移動局及び、周囲環境等の条件とによって左右される。従って、定量的な数値は、前記の条件によって、パス総数Ｍとパスの傾きΔＫとを決定し、例えば、コンピュータシミュレーション等の手段によって、最適な初期送信電力補正値ΔＬと、送信電力増幅ステップ幅ΔＳとを決定する。
【００３６】
図４は、コンピュータシミュレーションによる結果の一例であって、図４（ａ）図４（ｂ）の縦軸は移動局における平均送信電力値ＰＳを、横軸は初期送信電力補正値ΔＬを表している。図４（ｃ）の縦軸は移動局における平均送信電力値ＰＳを、横軸は送信電力増幅ステップ幅ΔＳを表している。
【００３７】
図４（ａ）より、パスの傾きΔＫと、送信電力増幅ステップ幅ΔＳとを固定したときに、パス総数Ｍ毎に平均送信電力値ＰＳが最低値ＰＳＭになる、初期送信電力補正値ΔＬが存在することがわかる。
【００３８】
図４（ｂ）より、パス総数Ｍと、送信電力増幅ステップ幅ΔＳとを固定したときに、パスの傾きΔＫによって、平均送信電力値ＰＳが最低値ＰＳＭになる、初期送信電力補正値ΔＬが存在することがわかる。
【００３９】
図４（ｃ）より、パスの傾きΔＫと、初期送信電力補正値ΔＬとを固定したときに、パス総数Ｍ毎に平均送信電力値ＰＳが最低値ＰＳＭになる、送信電力増幅ステップ幅ΔＳが存在することがわかる。
【００４０】
図５は、前記コンピュータシミュレーションの結果を図３に示したパスモデルに適用した場合の一例を説明する図あって、図５（ａ）は、最適制御値格納部７に格納されている最適制御値テーブルの一例、図５（ｂ）は、基地局での受信電力が収斂する様子を説明する図である。図５（ａ）に示すように、最適制御値テーブルは、パス総数Ｍ（欄５０ｂ）とパスの傾きΔＫ（欄５０ｃ）とが決定されると、初期送信電力補正値ΔＬ（欄５０ｅ）と、送信電力増幅ステップ幅ΔＳ（欄５０ｆ）とが決定される構造である。図５（ａ）では、欄５０ａに示すように、ａ、ｂ、ｃの３つのケースについて例示したが、これ以外の組み合わせの数であっても良い。
【００４１】
以下、図５（ａ）に示した最適制御値テーブルの、初期送信電力補正値ΔＬと、送信電力増幅ステップ幅ΔＳとの決定方法の一例について説明する。ここで、アクセスが成功するまでの遅延時間ＴＤが最低値ＴＤＭになるように各パラメータを決定する。
【００４２】
図５（ａ）において、欄５０ａは、図３に示したパスモデルの図番と対応して符号を付してある。即ち、例えば、図３（ａ）は、図５（ａ）における欄５０ａのケースａである。以下同様に、図３（ｂ）、図３（ｃ）は、ケースｂ、ケースｃである。係る状態で初期送信電力補正値ΔＬと送信電力増幅ステップ幅ΔＳとを以下のようにして決定する。
【００４３】
図５（ｂ）は、受信電力の収斂状態が変化する様子を、図８に示したオープンループパワーコントロールにより送信電力を制御した場合のコンピュータシミュレーションの一例である。前記のようにして決定した、図５（ａ）で示した最適制御値テーブルと、平均伝播損失ＰＬＭと、予め定められた又は、基地局からの報知信号で報知された基地局受信閾値ＴＨとを用いている。
【００４４】
図５（ｂ）の（イ）、（ロ）、（ハ）は、図１０で示した図１０（ａ）、図１０（ｂ）、図１０（ｃ）の場合に対応している。即ち、図１０（ａ）においては、パス数が少ない場合には基地局の受信電力の受信回数が多くプリアンブルが受信されるまで時間がかかる。また、図１０（ｃ）においては、プリアンブルの送信回数は少ないが、受信電力７２が基地局受信閾値ＴＨ７０の値から大きく外れていた。しかし、本発明によれば、図５（ｂ）から明らかなように、基地局の受信電力の受信回数も少なく、受信電力７２が基地局受信閾値ＴＨ７０の値から大きく外れこともない。
【００４５】
【発明の効果】
請求項１記載の移動通信装置によれば、オープンループパワーコントロールにより送信電力を制御する場合、伝播プロファイルで示されるパス特性から導出される初期送信電力補正値及び、送信電力増幅ステップ幅を格納した最適制御値格納部から初期送信電力補正値及び、送信電力増幅ステップ幅を選択して、選択された前記初期送信電力補正値及び、送信電力増幅ステップ幅と、平均伝播損失と、予め定められた、又は、基地局からの報知信号で報知された基地局受信閾値とから送信電力制御値を決定してオープンループパワーコントロールにより送信電力を適応制御することにより、パス特性毎送信電力を必要最小限にし得るランダムアクセス手段を有する移動通信装置を提供することができた。
【００４６】
請求項２記載の移動通信装置によれば、パス特性検出部は、前記パス特性検出部は、報知信号及び該報知信号の遅延波を含むパス総数と、パスの傾きとを求めるパス特性検出部を有し、オープンループパワーコントロールにより送信電力を制御することにより、また、請求項３記載の移動通信装置によれば、移動通信装置がアクセスを成功するまでの遅延時間が最も短くなるか、または、移動通信装置の平均送信電力が最も少なくなるかの何れか一方、又は両方を満足するように決定することにより、アクセスが成功するまでの遅延時間及び、送信電力を低減することができた。これにより、ランダムアクセスチャネルにおいて、送信電力を低減できることからシステム容量（ユーザ数）を増加することができた。
【図面の簡単な説明】
【図１】本発明の実施の形態を示すブロック図である。
【図２】本発明の実施の形態における、移動局の動作を説明するフローチャートである。
【図３】最適制御値テーブルを理解するためのパスモデルの説明図である。
【図４】コンピュータシミュレーションによる結果の一例である。
【図５】コンピュータシミュレーションの結果を説明する図あって、図５（ａ）は、最適制御値格納部７に格納されている最適制御値テーブルの一例、図５（ｂ）は、送信電力が収斂する様子を説明する図である。
【図６】ランダムアクセスチャネルの送信電力制御を説明する、移動局の受信電力と送信電力を示す図である。
【図７】移動局が送信した前記送信電力が基地局で受信される状態を説明する図である。
【図８】従来のオープンループパワーコントロール送信電力制御の方法を説明するフローチャートである。
【図９】図８の処理を説明したタイムチャートである。
【図１０】パス数の変化によって送信電力の収斂状態が変化する様子を説明する図であって、図１０（ａ）は、パス数が少ない場合、図１０（ｂ）は、パス数が中くらいの場合、図１０（ｃ）は、パス数が多い場合の図である。
【符号の説明】
１  基地局
２  移動局
２ａ  アンテナ
３  報知信号受信機
４  伝播損失計算部
５  パス特性検出部
６  電力変化幅選択部
８  ランダムアクセスチャンネル送信機
９  送信電力制御部
１０  制御情報格納部
【図１】
0003959670.tif 000002
【図２】
0003959670.tif 000003
【図３】
0003959670.tif 000004
【図４】
0003959670.tif 000005
【図５】
0003959670.tif 000006
【図６】
0003959670.tif 000007
【図７】
0003959670.tif 000008
【図８】
0003959670.tif 000009
【図９】
0003959670.tif 000010
【図１０】
0003959670.tif 000011